(57)【要約】【課題】電子装置でバッテリを充電するための方法及びその装置を提供する。【解決手段】本発明による電子装置のバッテリ充電方法は、電子装置のバッテリを充電するための方法において、第１充電回路を利用してバッテリからの電源を外部装置に提供する段階と、前記外部装置に電源を提供している間に第２充電回路を利用して前記バッテリに電源を供給するために第１電源ソースから電源を受信する段階とを有する。【選択図】      図２Ａ
2014003889.tif 000002
【特許請求の範囲】
【請求項１】
電子装置のバッテリを充電するための方法において、
第１充電回路を利用してバッテリからの電源を外部装置に提供する段階と、
前記外部装置に電源を提供している間に第２充電回路を利用して前記バッテリに電源を供給するために第１電源ソースから電源を受信する段階とを有することを特徴とする電子装置のバッテリ充電方法。
【請求項２】
前記バッテリから電源を外部装置に提供する段階は、前記外部装置が前記電子装置に接続されているか否かに対する判断に基づいて前記バッテリからの電源を前記外部装置に提供する段階を含むことを特徴とする請求項１に記載の電子装置のバッテリ充電方法。
【請求項３】
前記バッテリから電源を外部装置に提供する段階は、前記電子装置が第２電源ソースから電源を受信するように構成された経路の逆経路を含む経路を介し、前記バッテリからの電源を前記外部装置に供給する段階を含むことを特徴とする請求項１に記載の電子装置のバッテリ充電方法。
【請求項４】
前記第１電源ソースと第２電源ソースのそれぞれは、有線充電装置又は無線充電装置のいずれか一つを含むことを特徴とする請求項３に記載の電子装置のバッテリ充電方法。
【請求項５】
前記電子装置から前記外部装置との接続が解除されることが決定されることによって前記電子装置に第２電源ソースを接続するのか否かを決定する段階と、
前記電子装置に前記第２電源ソースが接続されることが決定されることによって前記第１充電回路を利用して前記第２電源ソースから供給される電源を利用して前記バッテリに電源を提供する段階とを更に有し、
前記第１充電回路を利用して前記バッテリに電源を提供する段階と前記第２充電回路を利用して前記バッテリに電源を提供する段階とは同時に行なわれることを特徴とする請求項３に記載の電子装置のバッテリ充電方法。
【請求項６】
前記第１充電回路及び前記第２充電回路は、スイッチング（ｓｗｉｔｃｈｉｎｇ）充電回路又はリニア（ｌｉｎｅａｒ）充電回路の少なくとも一つを含むことを特徴とする請求項１に記載の電子装置のバッテリ充電方法。
【請求項７】
前記電子装置に接続された外部装置を感知する段階と、
前記感知された外部装置が第２電源ソースであるのか否かを判断する段階とを更に有し、
前記電子装置は、前記感知された外部装置が前記第２電源ソースではない場合、前記第１充電回路を利用して前記バッテリからの電源を前記外部装置に供給する段階を含むことを特徴とする請求項１に記載の電子装置のバッテリ充電方法。
【請求項８】
電子装置であって、
バッテリと、
前記バッテリの電源を外部装置に提供する第１充電回路と、
前記第１充電回路が前記外部装置に電源を提供している間に前記バッテリに電源を提供するために第１電源ソースから電源を受信する第２充電回路とを有することを特徴とする電子装置。
【請求項９】
前記第１充電回路は、有線接続を利用し、前記電子装置に前記外部装置が接続されると、前記バッテリの電源を前記外部装置に提供するように構成されることを特徴とする請求項８に記載の電子装置。
【請求項１０】
前記第１充電回路は、前記電子装置が第２電源ソースから電源を受信するように構成された経路の逆経路を利用して前記外部装置に電源を提供するように構成されることを特徴とする請求項８に記載の電子装置。
【請求項１１】
前記第１電源ソースと第２電源ソースのそれぞれは、有線充電装置又は無線充電装置のいずれか一つを含むことを特徴とする請求項１０に記載の電子装置。
【請求項１２】
前記第１充電回路は、前記電子装置から前記外部装置との接続が解除されて前記電子装置に第２電源ソースが接続されると、前記第２電源ソースから供給される電源で前記バッテリを充電し、
前記第１充電回路を利用して前記バッテリに電源を提供する動作と前記第２充電回路を利用して前記バッテリに電源を提供する動作は同時に行われることを特徴とする請求項１０に記載の電子装置。
【請求項１３】
前記第１充電回路及び前記第２充電回路は、スイッチング（ｓｗｉｔｃｈｉｎｇ）充電回路又はリニア（ｌｉｎｅａｒ）充電回路の少なくとも一つを含むことを特徴とする請求項８に記載の電子装置。
【請求項１４】
前記電子装置は、前記電子装置に接続された外部装置を感知し、前記外部装置が第２電源ソースであるか否かを判断するように構成され、
前記電子装置は、前記感知された外部装置が前記第２電源ソースではない場合、前記第１充電回路を利用して前記バッテリからの電源を前記外部装置に提供することを特徴とする請求項８に記載の電子装置。
【請求項１５】
電子装置のバッテリを充電するための方法において、
第１電子装置に第２電子装置が接続されたか否かに対する判断に基づいて複数の充電回路から特定の充電回路を選択する段階と、
前記選択された充電回路を介して前記第１電子装置から供給される電源を利用してバッテリを充電する段階とを有することを特徴とする電子装置のバッテリ充電方法。
【請求項１６】
前記充電回路を選択する段階は、前記第１電子装置から識別子を受信する段階と、
予め貯蔵された回路情報に基づいて前記複数の充電回路の内から前記受信された識別子に対応する充電回路を選択する段階とを含むことを特徴とする請求項１５に記載の電子装置のバッテリ充電方法。
【請求項１７】
前記充電回路を選択する段階は、前記第２電子装置の充電電流の容量を決定する段階と、
前記充電電流の決定された容量に基づいて前記特定の充電回路を選択する段階とを含むことを特徴とする請求項１５に記載の電子装置のバッテリ充電方法。
【請求項１８】
前記複数の充電回路は、スイッチング（ｓｗｉｔｃｈｉｎｇ）充電回路又はリニア（ｌｉｎｅａｒ）充電回路の少なくとも一つを含むことを特徴とする請求項１５に記載の電子装置のバッテリ充電方法。
【請求項１９】
前記バッテリを充電する段階は、前記第１電子装置からの電源供給経路が前記選択された充電回路に対応する経路であるのか否かを判断する段階と、
前記第１電子装置からの電源供給経路が前記選択された充電回路に対応する経路ではない場合、前記電源供給経路を前記選択された充電回路に対応する電源供給経路に変更する段階と、
前記変更された電源供給経路と前記選択された充電回路を介して前記第１電子装置から供給される電源を利用してバッテリを充電する段階とを含むことを特徴とする請求項１５に記載の電子装置のバッテリ充電方法。
【請求項２０】
前記電源供給経路を変更する段階は、前記電源供給経路上に位置したスイッチを利用して変更する段階を含むことを特徴とする請求項１９に記載の電子装置のバッテリ充電方法。
【発明の詳細な説明】
【技術分野】
【０００１】
本発明は、電子装置のバッテリ充電方法及びその電子装置に関し、特に、互いに異なる入力が提供される少なくとも２つの充電回路を具備する電子装置のバッテリ充電方法及びその電子装置に関する。
【背景技術】
【０００２】
携帯可能な電子装置の使用量が増加するにつれ、電子装置の性能及び使用時間に影響を及ぼす高性能バッテリ及びバッテリの充電方式に対する関心が増加しつつある。
それにより、近年では有線充電だけでなく、無線充電をも可能な電子装置が提供されている。
【０００３】
近年提供されている電子装置は、一つの充電回路を具備することで、電子装置に有線充電装置が接続された場合には有線充電装置からの電源供給経路と充電回路を接続してバッテリを充電し、電子装置に無線充電装置が接続された場合には無線充電装置からの供給経路と充電回路を接続してバッテリを充電する。
【０００４】
一方、電子装置は、ＵＳＢ  ＯＴＧ（ＵＳＢ  Ｏｎ−Ｔｈｅ−Ｇｏ）機能を提供している。
ＵＳＢ  ＯＴＧ機能は、主コンピュータから干渉を受けることなく個人携帯情報端末機（ＰＤＡ）、ＭＰ３及び携帯電話、マウス、キーボード及びメモリなどのような電子装置間をＵＳＢで通信して動作する機能を意味する。
例えば、携帯電話にＵＳＢでメモリを接続してデータを移動させる機能をＵＳＢ  ＯＴＧという。
【０００５】
一般に、電子装置間をＵＳＢで通信するＵＳＢ  ＯＴＧが動作する際、サーバーとして動作する電子装置はクライアントとして動作する電子装置の動作のための電源を供給しなければならない。
よって、サーバーとして動作する電子装置はＵＳＢ  ＯＴＧの動作の途中にバッテリの残量が次第に減少し、継続的なＵＳＢ  ＯＴＧの動作のためにバッテリの充電が必要な状況に直面する恐れがある。
【０００６】
しかし、電子装置はバッテリを充電する経路の逆経路、即ち、充電回路を含む経路を利用してクライアント電子装置としてＵＳＢ  ＯＴＧのための電源を供給するため、ＵＳＢ  ＯＴＧの動作の途中でバッテリを充電することが不可能な実情であるという問題がある。
また、従来の電子装置は、公知の多様な充電回路のうち、事業者及び開発者が選択した一つの充電回路のみを具備している。即ち、従来の電子装置は事業者及び開発者が選択した一つの充電回路のみを含むため、充電の際、状況に応じて効率的に対処することができない実情であるという問題もある。
【先行技術文献】
【特許文献】
【０００７】
【特許文献１】韓国公開特許第１０−２００６−００１０４３３号公報
【発明の概要】
【発明が解決しようとする課題】
【０００８】
そこで、本発明は上記従来の電子装置のバッテリ充電方法における問題点に鑑みてなされたものであって、本発明の目的は、電子装置でバッテリを充電するための方法及びその装置を提供することにある。
また、本発明の他の目的は、電子装置で少なくとも２つの充電回路を具備し、ＵＳＢ  ＯＴＧの動作の途中でバッテリを充電する方法及びその装置を提供することにある。
また、電子装置で少なくとも２つの充電回路を具備し、外部充電装置のタイプ及び充電容量に応じて充電回路を選択する方法及びその装置を提供することにある。
また、電子装置で互いに異なる入力を提供される少なくとも２つの充電回路を具備し、有線充電及び無線充電を同時に行う方法及びその装置を提供することにある。
【課題を解決するための手段】
【０００９】
上記目的を達成するためになされた本発明による電子装置のバッテリ充電方法は、電子装置のバッテリを充電するための方法において、第１充電回路を利用してバッテリからの電源を外部装置に提供する段階と、前記外部装置に電源を提供している間に第２充電回路を利用して前記バッテリに電源を供給するために第１電源ソースから電源を受信する段階とを有することを特徴とする。
【００１０】
上記目的を達成するためになされた本発明による電子装置は、電子装置であって、バッテリと、前記バッテリの電源を外部装置に提供する第１充電回路と、前記第１充電回路が前記外部装置に電源を提供している間に前記バッテリに電源を提供するために第１電源ソースから電源を受信する第２充電回路とを有することを特徴とする。
【００１１】
また、上記目的を達成するためになされた本発明による電子装置のバッテリ充電方法は、電子装置のバッテリを充電するための方法において、第１電子装置に第２電子装置が接続されたか否かに対する判断に基づいて複数の充電回路から特定の充電回路を選択する段階と、前記選択された充電回路を介して前記第１電子装置から供給される電源を利用してバッテリを充電する段階とを有することを特徴とする。
【発明の効果】
【００１２】
本発明に係る電子装置のバッテリ充電方法及びその電子装置によれば、互いに異なる入力が提供される少なくとも２つの充電回路を具備してＵＳＢ  ＯＴＧの動作の途中でバッテリを無線で充電することができ、それによってユーザの便宜及びバッテリの使用時間が増加するという効果がある。
また、従来の充電システムとは異なって外部装置から供給される電源を充電回路に伝達するためのスイッチを具備しないため、設計面積及び設計コストが減少するという効果がある。
また、本発明の電子装置では少なくとも２つの充電回路を具備して外部充電装置のタイプ及び充電容量に応じて一つの充電回路を選択し、選択された充電回路を利用してバッテリを充電することで、状況に応じた効果的な充電方式を選択することができるため充電効率が向上するという効果がある。
【図面の簡単な説明】
【００１３】
【図１】本発明による電子装置の構成を示すブロック図である。
【図２Ａ】本発明の実施形態による電子装置における充電部の詳細なブロック構成を示す図である。
【図２Ｂ】本発明の実施形態による電子装置における充電部の詳細なブロック構成を示す図である。
【図３】本発明の実施形態による電子装置におけるＵＳＢ  ＯＴＧ及び充電手順を説明するためのフローチャートである。
【図４】本発明の実施形態による電子装置における有線充電の手順を説明するためのフローチャートである。
【図５Ａ】本発明の実施形態による電子装置におけるＵＳＢ  ＯＴＧの動作を行いながら無線充電を行う手順を説明するためのフローチャートである。
【図５Ｂ】本発明による電子装置におけるＯＴＧの動作を行いながら無線充電を行う手順に対する手段を示す図である。
【図６Ａ】本発明の実施形態による電子装置における有線充電の手順を説明するためのフローチャートである。
【図６Ｂ】本発明の実施形態による電子装置における有線充電の手順を行うための手段を示す図である。
【発明を実施するための形態】
【００１４】
次に、本発明に係る電子装置のバッテリ充電方法及びその電子装置を実施するための形態の具体例を図面を参照しながら説明する。
【００１５】
本発明を説明するに当たって、関連する公知機能或いは構成に対する具体的な説明が本発明の要旨を不明確にする恐れがあると判断される場合には、その詳細な説明を省略する。
そして、後述する用語は本発明における機能を考慮して定義されたものであり、これはユーザ、運用者の意図又は慣例などによって異なり得る。従って、その定義は本明細書全般にかかる内容に基づいて定められるべきである。
【００１６】
以下、本発明は、電子装置で互いに異なる入力が提供される少なくとも２つの充電回路を具備し、ＵＳＢ  ＯＴＧ（ＵＳＢ  Ｏｎ−Ｔｈｅ−Ｇｏ）及び充電動作を行う方法及びその技術について説明する。
以下の説明において、電子装置は、移動通信端末機、スマートフォーン（Ｓｍａｒｔ  Ｐｈｏｎｅ）、タブレットＰＣ（Ｔａｂｌｅｔ  Ｐｅｒｓｏｎａｌ  Ｃｏｍｐｕｔｅｒ）、デジタルカメラ、ＭＰ３、ラップトップ（Ｌａｐｔｏｐ）、ネットブック（Ｎｅｔｂｏｏｋ）、携帯用ゲーム機、或いは他の電子装置であり得る。また、以下の説明でバッテリは再充電が可能なバッテリである。
以下、本発明では説明の便宜上、電子装置で２つの充電回路を具備する場合を例に挙げて説明する。しかし、以下の本発明は電子装置で２つ以上の充電回路を具備する場合でも同じ方式で適用可能である。
【００１７】
図１は、本発明による電子装置の構成を示すブロック図である。
図１を参照すると、電子装置は、プロセッサ１００、メモリ１１０、充電部１２０、外部装置インターフェース１３０、及びタッチスクリーン１４０を含んで構成される。
【００１８】
プロセッサ１００は、様々なソフトウェアプログラムを実行し、電子装置の全般的な動作を制御及び処理する。
プロセッサ１００は、メモリ１１０に貯蔵されたソフトウェアプログラムを実行し、実行されたソフトウェアプログラムに対応する機能を行う。ここで、後述するプロセッサ１００の動作は別途に構成された少なくとも一つのハードウェア及び／又はソフトウェアによって実行されてもよい。例えば、後述するプロセッサ１００の動作は、充電部１２０に集積されたハードウェアで直接実行されてもよい。
また、プロセッサ１００は一つ以上のプロセッサで構成されてもよい。
【００１９】
本発明によるプロセッサ１００は、メモリ１１０に貯蔵されたＵＳＢ  ＯＴＧ制御プログラム１１３を実行し、ＵＳＢ  ＯＴＧモードで動作する。
即ち、プロセッサ１００は、外部装置インターフェース１３０を介して接続された装置と通信し、電源を供給するための機能を制御する。
ここで、接続された装置とは電子装置とＵＳＢを介して接続されて信号送受信が可能な外部電子装置を意味する。例えば、接続された装置は携帯電話、キーボード、マウス、或いは記憶装置であってもよい。接続された装置は、例えば、有線接続を利用して電子装置に接続される有線接続装置であり得る。
【００２０】
また、プロセッサ１００は、充電制御プログラム１１４を実行し、充電部１２０が外部装置インターフェース１３０を介して接続された有線充電装置及び／又は無線充電装置から電源を供給されてバッテリを充電するための機能を制御する。
プロセッサ１００が外部装置インターフェース１３０を介して、有線充電装置から供給される電源及び無線充電装置から供給される電源が充電部１２０に互いに異なる入力端子を介して提供されるように制御する。
【００２１】
充電部１２０は、互いに異なる入力端子を利用して有線充電及び無線充電を同時に行うことができる。有線充電装置は例えば、電子装置とＵＳＢを介して接続されて充電用電源を供給するＴＡ（Ｔｒａｖｅｌ  Ａｄａｐｔｏｒ）又はＵＳＢ充電器であってもよく、無線充電装置は例えば、外部装置インターフェース１３０を介して無線で接続された外部装置であってもよい。
【００２２】
更に、プロセッサ１００は、電子装置がＵＳＢ  ＯＴＧモードで動作する間に無線充電モードで動作するための無線充電イベントが発生する際、無線充電モードの間に充電部１２０が外部装置インターフェース１３０を介して供給される無線充電用電源を利用してバッテリを充電するための機能を制御する。
【００２３】
追加的に、プロセッサ１００は、外部装置インターフェース１３０に有線充電装置（例えば、充電アダプタ）の接続が感知された時、接続された有線充電装置のＩＤ、タイプ及び／又は充電容量を感知し、充電部１２０に具備された２つの充電回路のうちから有線充電装置のＩＤ、タイプ及び／又は充電容量に対応する充電回路を選択し、充電部１２０が選択された充電回路を介してバッテリを充電するための機能を制御する。
【００２４】
ここで、プロセッサ１００は、充電装置から受信されるＩＤ情報を介して充電装置のタイプ情報を獲得してもよい。
充電装置のＩＤ情報は、外部装置インターフェース１３０に含まれたＩＤピン（ｐｉｎ）の抵抗値に基づいて獲得される。例えば、外部装置インターフェース１３０を介して感知される抵抗値が０である場合、プロセッサ１００は外部装置インターフェース１３０に接続された有線充電装置のタイプをＴＡ（Ｔｒａｖｅｌ  Ａｄａｐｔｏｒ）として決定する。
【００２５】
他の例として、外部装置インターフェース１３０を介して感知される抵抗値が０ではない場合、プロセッサ１００は、外部装置インターフェース１３０に接続された有線充電装置のタイプをＵＳＢ記憶装置又はＵＳＢ充電装置として決定する。
【００２６】
メモリ１１０は、電子装置の全般的な動作のための命令語を含む各種プログラム及びデータを貯蔵する。
メモリ１１０は、例えば磁気ディスク記憶装置のような高速ランダムアクセスメモリ及び／又は非揮発性メモリ、一つ以上の光記憶装置及び／又はフラッシュメモリ（例えば、ＮＡＮＤ、ＮＯＲ）の内の少なくとも一つを含んで構成され得る。
【００２７】
メモリ１１０に格納された各種プログラムは、表示制御プログラム１１１、タッチ処理プログラム１１２、ＵＳＢ  ＯＴＧ制御プログラム１１３、及び充電制御プログラム１１４を含む。
追加的に、メモリ１１０は、充電装置のタイプ及び／又は充電容量に対応する充電回路選択情報を格納してもよく、この情報は電子装置を充電するための充電回路の決定に利用される。
【００２８】
表示制御プログラム１１１は、電子装置の動作の途中に発生する各種情報をタッチスクリーン１４０の表示部１４１にディスプレイするための命令語を含む。
例えば、表示制御プログラム１１１は電子装置が有線充電及び／又は無線充電中であることを示す情報を表示部１４１にディスプレイするための命令語、電子装置がＵＳＢ  ＯＴＧの動作を行う途中に無線充電中であることを示す情報を表示部１４１にディスプレイするための命令語を含む。
【００２９】
タッチ処理プログラム１１２は、電子装置の動作の途中にタッチスクリーン１４０の入力部を介して発生するユーザ入力を感知するための命令語を含む。例えば、タッチ処理プログラム１１２は、ＵＳＢ  ＯＴＧモードでの動作を要請するユーザ入力を感知するための命令語を含む。
ＵＳＢ  ＯＴＧ制御プログラム１１３は、外部装置インターフェース１３０を介して有線接続装置が感知される際、感知された有線接続装置と通信しながら有線接続装置に電源を供給するための命令語を含む。
【００３０】
充電制御プログラム１１４は、外部装置インターフェース１３０を介して有線充電装置及び／又は無線充電装置の接続が感知された際、接続された有線充電装置及び／又は無線充電装置から電源を供給されてバッテリを充電するための命令語を含む。
追加的に、充電制御プログラム１１４は、有線充電装置の接続が感知された際、接続された有線充電装置のタイプ及び／又は充電容量に対応する充電回路を選択し、選択された充電回路でバッテリを充電するための命令語を含む。
【００３１】
例えば、充電制御プログラム１１４は、有線充電装置のＩＤが１Ａより大きいか同じである充電電流を有するＴＡを示す場合、効率がよくて発熱の面で有利なスイッチング（ｓｗｉｔｃｈｉｎｇ）充電回路を選択することができる。
一方、有線充電装置のＩＤが４００ｍＡの充電電流を有するＵＳＢ記憶装置を示すか５００ｍＡの充電電流を示すＴＡを示す場合、ＥＭＩ（Ｅｌｅｃｔｒｏ  Ｍａｇｎｅｔｉｃ  Ｉｔｅｒｆｅｒｅｎｃｅ）の側面及びヘッドルーム（ｈｅａｄｒｏｏｍ）電圧に対する抵抗が高いリニア（ｌｉｎｅａｒ）充電回路を選択することができる。
このように、有線充電装置のＩＤに対応して充電回路を選択するために有線充電装置のＩＤ別充電電流情報を格納するか、有線充電装置のＩＤ別充電回路情報を利用してもよい。
充電電流情報及び充電回路情報は、メモリ１００に格納される。
【００３２】
他の例として、充電制御プログラム１１４は、有線充電装置の充電容量が臨界容量以上であるとスイッチング充電回路を選択し、有線充電装置の充電容量が臨界値容量より小さいとリニア充電回路を選択する命令語を含む。
ここで、スイッチング充電回路は、電圧の供給及び遮断を繰り返して行う充電回路であって、スイッチングレギュレータ、バック（ＢＵＣＫ）レギュレータ、ブースター（ＢＯＯＳＴＥＲ）レギュレータ、ＳＥＰＩＣレギュレータの内のいずれか一つを含んで構成される。
また、リニア充電回路は、全体電圧の内の一定電圧のみを供給して残りの電圧は熱として消費する充電回路であって、リニア方式のレギュレータを含んで構成される。
【００３３】
充電部１２０は、プロセッサ１００の制御に対応して外部装置インターフェース１３０を介して接続された無線充電装置及び／又は有線充電装置から電源を供給されてバッテリ（図示せず）を充電する。
即ち、充電部１２０は、無線充電装置及び／又は有線充電装置から供給される電源を電子装置１００に適合した充電電圧及び充電電流に変換してバッテリを充電する。
また、充電部１２０は、プロセッサ１００の制御に対応してバッテリ（図示せず）充電電圧及び充電電流を外部装置インターフェース１３０を介して接続された有線接続装置に提供する。
充電部１２０は、外部装置インターフェース１３０を介して入力される誘導電流を感知して無線充電イベントを感知する。
【００３４】
本発明の実施形態によれば、充電部１２０は、図２Ａに示すように、互いに異なる入力が提供される第１充電回路２００と第２充電回路２１０を含む。
図２Ａを参照すると、第１充電回路２００は外部装置インターフェース１３０を介して有線で接続された有線充電装置又は有線接続装置と電気的に接続される。
第１充電回路２００は、プロセッサ１００の制御に対応して有線充電装置から供給される電源を充電電圧及び充電電流に変換し、変換された充電電圧及び充電電流をバッテリ２２０に提供する。
【００３５】
第１充電回路２００は、制御信号に応答してバッテリ２２０の充電電圧及び充電電流を有線接続装置に提供する。
追加的に第１充電回路２００は、スイッチ（図示せず）を含み、プロセッサ１００の制御に対応してスイッチング動作を行うことで有線充電装置から供給される電源を処理せずにそのまま第２充電回路２１０に提供する。
【００３６】
更に、第１充電回路２００は、外部装置インターフェース１３０を介して有線充電装置が接続された際、有線充電装置の充電電流容量、即ち、充電容量を判断して充電容量をプロセッサ１００に提供する。
更に、設計方式に対応して第１充電回路２００は、プロセッサ１００の制御がなくても接続された有線充電装置の充電容量を決定し、決定された充電容量に応じて受信電源を直接処理してバッテリ２００を充電する。
ここで、第１充電回路２００はスイッチング充電回路であるかリニア充電回路であってもよい。
【００３７】
第２充電回路２１０は、外部装置インターフェース１３０を介して無線で接続された無線充電装置から入力を受信する。
第２充電回路２１０は、プロセッサ１００の制御信号に応答して無線充電装置から供給される電源を充電電圧及び充電電流に変換してバッテリ２２０に提供する。
第２充電回路２１０はスイッチング充電回路であるかリニア充電回路であってもよい。
ここで、第１充電回路２００と第２充電回路２１０は同じ方式の充電回路であってもよく、互いに異なる方式の充電回路であってもよい。また、第１充電回路２００と第２充電回路２１０は一つのチップに集積されてもよく、２つのチップにそれぞれ集積されてもよい。
【００３８】
上述したように、充電部１２０は互いに異なる入力が提供される第１充電回路２００及び第２充電回路２１０を含むことで、外部装置インターフェース１３０を介して接続された有線充電装置からの電源を第１充電回路２００から提供してバッテリ２２０を充電しながら、同時に外部装置インターフェース１３０を介して接続された無線充電装置からの電源を第２充電回路２１０から提供してバッテリ２２０を充電する。
【００３９】
追加的に、充電部１２０は、互いに異なる入力が提供される第１充電回路２００及び第２充電回路２１０を含むことで、第１充電回路２００からバッテリ２２０に充電された電源を外部装置インターフェース１３０を介して接続された有線接続装置に提供しながら、同時に外部装置インターフェース１３０を介して無線で接続された無線充電装置からの電源を第２充電回路２１０から提供してバッテリ２２０を充電する。
また、充電部１２０は、プロセッサ１００の制御に対応して有線充電装置の充電容量に対応する充電回路を利用してバッテリを充電する。
【００４０】
本発明の他の実施形態によれば、充電部１２０は、図２Ｂに示すように、第１充電回路２００、第２充電回路２１０及びスイッチ２０２を含む。
図２Ｂを参照すると、スイッチ２０２は、プロセッサ１００からの制御信号に応答して第１充電回路２００と有線充電装置の電源供給経路を接続するか、第２充電回路２１０と有線充電装置の電源供給経路を接続するためのスイッチング動作を行う。
【００４１】
例えば、スイッチ２０２は、有線充電装置の電源供給経路と第１充電回路２００を接続し、有線充電装置から供給される電源を第１充電回路に提供する。
他の例として、スイッチ２０２は、有線充電装置の電源供給経路と第２充電回路２１０を接続し、有線充電装置から供給される電源を第２充電回路２１０に提供する。
【００４２】
第１充電回路２００は、外部装置インターフェース１３０とスイッチ２０２を介して有線充電装置と電気的に接続される。
第１充電回路２００は、有線充電装置から供給される電源を充電電圧及び充電電流に変換し、変換された充電電圧及び充電電流をバッテリ２２０に提供する。
追加的に、第１充電回路２００は、外部装置インターフェース１３０を介して有線充電装置が接続された際、有線充電装置の充電電流容量、即ち、充電容量を判断して充電容量をプロセッサ１００に提供する。
第１充電回路２００は、スイッチング充電回路又はリニア充電回路であってもよい。
【００４３】
第２充電回路２１０は、外部装置インターフェース１３０とスイッチ２０２を介して有線充電装置と電気的に接続される。
第２充電回路２１０は、有線充電装置から供給される電源を充電電圧及び充電電流に変換し、変換された充電電圧及び充電電流をバッテリ２２０に提供する。
第２充電回路２１０は、スイッチング充電回路又はリニア充電回路であってもよい。
第１充電回路２００と第２充電回路２１０は同じ方式の充電回路であってもよく、互いに異なる方式の充電回路であってもよい。
また、第１充電回路２００と第２充電回路２１０は一つのチップに集積されてもよく、２つのチップにそれぞれ集積されてもよい。
上述したように、充電部１２０はプロセッサ１００の制御に対応してスイッチを制御して有線充電装置の充電容量に対応する特定充電回路を利用してバッテリを充電する。
【００４４】
外部装置インターフェース１３０は、外部の電子装置をプロセッサ１００及び充電部１２０と接続する。
特に、外部装置インターフェース１３０は、ＵＳＢ接続端子を含み、有線で接続された外部装置又は充電装置を感知し、有線で接続された外部装置又は充電装置が感知されたことをプロセッサ１００に知らせる
【００４５】
。
また、外部装置インターフェース１３０は、無線充電装置の接続を感知する。
例えば、外部装置インターフェース１３０は、外部充電パッドによって発生する誘導電流が受信されると無線充電装置の接続を感知し、無線充電装置が感知されることをプロセッサ１００に知らせる。
外部装置インターフェース１３０は、有線充電装置から供給される電源を第１充電回路２００に提供し、無線充電装置から供給される電源を第２充電回路２１０に提供する。
【００４６】
タッチスクリーン１４０は、電子装置とユーザとの間に入力及び出力のためのインターフェースを提供する。
即ち、タッチスクリーン１４０は、表示部１４１及び入力部１４２を含んで構成されることでユーザのタッチ入力を感知してプロセッサ１００に伝達し、プロセッサ１００からの出力をディスプレイしてユーザに提供する媒介体である。
【００４７】
表示部１４１は、プロセッサ１００の制御に対応して電子装置の動作中に発生する各種情報をディスプレイする。
例えば、表示部１４１は、電子装置が有線充電及び／又は無線充電中であることを示す情報をディスプレイし、電子装置が、ＵＳＢ  ＯＴＧの動作中でありながら同時に無線充電中であることを示す情報をディスプレイする。
入力部１４２は、タッチセンサーを含み、表示部１４１に対するタッチを感知する。
例えば、入力部１４２は、ＵＳＢ  ＯＴＧモードでの動作を要請するユーザ入力を感知し、感知された結果をプロセッサ１００に提供する。
【００４８】
図３は、本発明の実施形態による電子装置におけるＵＳＢ  ＯＴＧ及び充電手順を説明するためのフローチャートである。
図３を参照すると、電子装置は、ステップＳ３０１で有線接続装置が感知されたか否かを判断する。
もし、有線接続装置が感知されない場合、電子装置は、ステップＳ３１５に進行する。
【００４９】
一方、有線接続装置が感知された場合、電子装置は、ステップＳ３０３に進行して有線接続装置が充電装置であるのか否かを判断する。
即ち、電子装置は、有線接続装置が充電用電源を供給する充電装置であるのか、又はＵＳＢ  ＯＴＧ機能を行う外部電子装置であるのかを判断する。
ここで、電子装置は、公知技術を利用して有線接続装置が有線充電装置であるのか否かを判断する。
【００５０】
もし、有線接続装置が充電装置である場合、電子装置はステップＳ３０５に進行し、第１充電回路又は第２充電回路を利用して有線で接続された充電装置から供給される電圧を電子装置の充電電圧及び充電電流に変換し、変換された充電電圧及び充電電流を利用してバッテリを充電する。
【００５１】
この時、第１充電回路及び第２充電回路が互いに異なるタイプの充電回路である場合、電子装置は有線充電装置のタイプ及び／又は充電容量に基づいて第１充電回路又は第２充電回路のいずれか一つの充電回路を選択し、選択された充電回路を利用してバッテリを充電する。
ここで、有線充電装置のタイプ及び／又は充電容量に基づいて充電回路を選択してバッテリを充電する手順は、後出の図４を参照して詳細に説明する。
【００５２】
次に、電子装置は、ステップＳ３０７に進行して有線充電が終了したか否かを判断する。
例えば、電子装置は、有線接続装置が電子装置から分離されると有線充電が終了されたと判断する。
電子装置は、有線充電が終了していない場合、ステップＳ３０５に戻って有線接続装置からの充電電源をバッテリに提供する動作を続けて行い、有線充電が終了すると本発明の実施形態による手順を終了する。
【００５３】
一方、ステップＳ３０３で有線接続装置が充電装置ではない場合、電子装置はステップＳ３０９に進行してＵＳＢ  ＯＴＧモードへの進入可否を判断する。
例えば、電子装置は、ＵＳＢを介してメモリが接続された場合、メモリを使用するためのＵＳＢ  ＯＴＧモードへの進入可否を問うメッセージをディスプレイし、ユーザからＵＳＧ  ＯＴＧモードへの進入可否を決定する入力を受信し、ＵＳＢ  ＯＴＧモードへの進入可否を決定する。
ここで、設計方式に応じて電子装置は、ＵＳＢ  ＯＴＧ機能を支援する外部装置が接続されると自動的にＵＳＢ  ＯＴＧモードに進入してもよい。もし、ＵＳＢ  ＯＴＧモードに進入しない決定がなされた場合、電子装置は本実施形態による手順を終了する。
【００５４】
一方、ＵＳＢ  ＯＴＧモードへの進入が決定された場合、電子装置はステップＳ３１１に進行し第１充電回路を利用して有線接続装置に電源を供給する。
即ち、電子装置は電子装置に有線で接続された外部装置の動作のために、バッテリに充電された電源を第１充電回路を介して該当装置に供給する。
【００５５】
次に、電子装置はステップＳ３１３に進行しＵＳＢ  ＯＴＧモードが終了したのか否かを判断する。
この際、電子装置は有線接続装置が充電用装置から分離されるか、ユーザによってＵＳＢ  ＯＴＧ機能の終了が要請された場合、ＵＳＢ  ＯＴＧモードが終了したと判断する。
【００５６】
次に、電子装置はステップＳ３１５で無線充電イベントが発生したのか否かを判断する。
例えば、電子装置はユーザの制御に対応して無線充電機能が選択される場合、無線充電イベントが発生したことを感知する。
電子装置の充電部１２０は、外部装置インターフェース１３０を介して無線充電装置から誘導電流が入力されると無線充電イベントが発生したことを感知する。
もし、無線充電イベントが発生していない場合、電子装置はステップＳ３０１に戻って以下のステップを再び行う。
【００５７】
もし、無線充電イベントが発生した場合、電子装置はステップＳ３１７に進行し第２充電回路を利用して無線充電電源を電子装置の充電電圧及び充電電流に変換した後、変換された充電電圧及び充電電流を利用してバッテリを充電する。
この際、電子装置は第１充電回路を介してバッテリに充電された電源を有線接続装置に供給しながら、同時に第２充電回路を介して無線充電電圧をバッテリに充電する。
【００５８】
次に、電子装置はステップＳ３１９に進行し無線充電が完了したのか否かを判断する。
この際、電子装置は無線接続装置からそれ以上電圧が感知されないかユーザによって無線充電機能の終了が要請された場合、無線充電が終了したと判断する。
電子装置は無線充電が終了していないとステップＳ３１５に戻って以下のステップを再び行い、無線充電が終了すると本実施形態による手順を終了する。
【００５９】
図４は、本発明の実施形態による電子装置における有線充電手順を説明するためのフローチャートである。
ここでは、電子装置に具備された第１充電回路及び第２充電回路が互いに異なるタイプの充電回路であると仮定する。例えば、第１充電回路がスイッチング充電回路であり、第２充電回路がリニア充電回路であると仮定する。
また、以下の説明は無線充電装置が接続されていない状態であると仮定する。
【００６０】
図４を参照すると、電子装置はステップＳ４０１で電子装置に接続された有線充電装置のタイプを感知し、ステップＳ４０３で有線充電装置の充電容量、即ち、充電電流容量を感知する。
この際、電子装置は接続された有線充電装置からＩＤを受信してタイプを判断する。
【００６１】
次に、電子装置はステップＳ４０５に進行し、有線充電装置のタイプ及び充電容量に基づいて電子装置に具備された第１充電回路及び第２充電回路のうちから一つの充電回路を選択する。
例えば、電子装置は有線充電装置のＩＤが臨界値より大きい充電容量を有する充電装置を示すか又は感知された充電容量が臨界値より大きいか同じである場合、第１充電回路及び第２充電回路のうちからスイッチング充電回路として構成された充電回路を選択する。
【００６２】
例えば、電子装置は感知された充電容量が１Ａより大きいか同じであるとスイッチング充電回路を選択する。
他の例として、電子装置は有線充電装置のＩＤが臨界値より大きい充電容量を有する充電装置を示すか又は感知された充電容量が臨界値より小さいか同じである場合、第１充電回路及び第２充電回路のうちからリニア充電回路として構成された充電回路を選択する。
例えば、電子装置は感知された充電容量が５００ｍＡより小さいか同じであるとリニア充電回路を選択する。
【００６３】
次に、電子装置はステップＳ４０７に進行し有線接続装置と接続される第１充電回路が選択されたのか否かを判断する。
もし、第１充電回路が選択された場合、電子装置はステップＳ４０９に進行して第１充電回路を利用して有線充電電源からの電源を電子装置の充電電圧及び充電電流に変換した後、変換された充電電圧及び充電電流でバッテリを充電する。
次に、電子装置は本実施形態による手順を終了する。
【００６４】
一方、第１充電回路が選択されていない場合、即ち、無線接続装置と接続される第２充電回路が選択されている場合、電子装置はステップＳ４１１に進行してスイッチング動作を行って有線充電装置の電源供給経路を第１充電回路から第２充電回路に変更する。
即ち、電子装置は図１には示していないが、有線充電装置の電源供給経路を第１充電回路から第２充電回路に変更するスイッチを含むことで（図２Ｂ参照）、スイッチのスイッチング動作を制御して有線充電装置の電源が第２充電回路に供給されるように制御する。
【００６５】
次に、電子装置はステップＳ４１３に進行して第２充電回路を利用して有線充電電源からの電源を電子装置の充電電圧及び充電電流に変換した後、変換された充電電圧及び充電電流でバッテリを充電する。
次に、電子装置は本実施形態による手順を終了する。
【００６６】
図５Ａは、本発明の実施形態による電子装置におけるＵＳＢ  ＯＴＧの動作を行いながら無線充電を行う手順を説明するためのフローチャートである。
図５Ａを参照すると、電子装置はステップＳ５０１で第１充電回路を利用して有線接続装置に電源を供給し、ステップＳ５０３で無線接続装置から供給される電源でバッテリを充電する。
ここで、電子装置はステップＳ５０１の動作を行いながらステップＳ５０３の動作を行ってもよい。
【００６７】
図５Ｂは、本発明の実施形態による電子装置におけるＵＳＢ  ＯＴＧの動作を行いながら無線充電を行う手順に対する手段を示す図である。
図５Ｂを参照すると、電子装置は第１充電回路を利用して有線接続装置に電源を供給する手段５１１と、無線接続装置から電源を供給され、第２充電回路を利用して無線充電装置から供給される電源でバッテリを充電する手段５１３を含む。
【００６８】
図６Ａは、本発明の実施形態による電子装置における有線充電の手順を説明するためのフローチャートである。
図６Ａを参照すると、電子装置はステップＳ６０１で電子装置に接続された有線充電装置に対応して複数の充電回路のうちから一つの充電回路を選択する。
この際、電子装置は有線充電装置のＩＤ、タイプ及び／又は充電電流の容量に対応する充電回路を選択する。
次に、電子装置はステップＳ６０３に進行し、選択された充電回路を利用して有線充電からの電源を供給されてバッテリを充電する。
【００６９】
図６Ｂは、本発明の実施形態による電子装置における有線充電の手順を行うための手段を示す図である。
図６Ｂを参照すると、電子装置は電子装置に接続された有線充電装置に対応して複数の充電回路のうちから一つの充電回路を選択する手段６１１と、選択された充電回路を利用して有線充電装置から電源を供給してバッテリを充電する手段６１３を含む。
この際、電子装置の充電回路選択手段は、有線充電装置のＩＤ、タイプ及び／又は充電電流の容量に対応する充電回路を選択する。
【００７０】
本発明の電子装置では互いに異なる入力を提供する少なくとも２つの充電回路を具備してＵＳＢ  ＯＴＧの動作の途中でバッテリを無線で充電することができ、それによってユーザの便宜及びバッテリの使用時間が増加する効果がある。
また、従来の充電システムとは異なって外部装置から供給される電源を充電回路に伝達するためのスイッチを具備しないため、設計面積及び設計コストが減少する効果がある。
また、本発明の電子装置では少なくとも２つの充電回路を具備して外部充電装置のタイプ及び充電容量に対応して一つの充電回路を選択し、選択された充電回路を利用してバッテリを充電することで、状況に対応した効果的な充電方式を選択することができるため充電効率が向上する効果がある。
【００７１】
尚、本発明は、上述の実施例に限られるものではない。本発明の技術的範囲から逸脱しない範囲内で多様に変更実施することが可能である。
【符号の説明】
【００７２】
１００    プロセッサ
１１０    メモリ
１１１    表示制御プログラム
１１２    タッチ処理プログラム
１１３    ＵＳＢ  ＯＴＧ制御プログラム
１１４    充電制御プログラム
１２０    充電部
１３０    外部装置インターフェース
１４０    タッチスクリーン
１４１    表示部
１４２    入力部
２００    第１充電回路
２０２    スイッチ
２１０    第２充電回路
２２０    バッテリ
【図１】
2014003889.tif 000003
【図２Ａ】
2014003889.tif 000004
【図２Ｂ】
2014003889.tif 000005
【図３】
2014003889.tif 000006
【図４】
2014003889.tif 000007
【図５Ａ】
2014003889.tif 000008
【図５Ｂ】
2014003889.tif 000009
【図６Ａ】
2014003889.tif 000010
【図６Ｂ】
2014003889.tif 000011